(57)【特許請求の範囲】
【請求項１】
フロントパネル(２)内に、押し込み操作されるスイッチ(ＳＷ)を配備し、フロントパネル(２)の前面に、発光部(10)を有して使用者の押し込み操作によりスイッチ(ＳＷ)を押圧操作する操作釦を設け、合成樹脂の射出成型にて形成されるキャビネットに於いて、
フロントパネル(２)は、弾性変形可能であり開口(30)を設けてスイッチ(ＳＷ)を押し込む釦ベース片(３)を一体に具え、操作釦は、該釦ベース片(３)の開口(30)に嵌まり発光部(10)を構成する光透過片(４)と、導電性を有して光透過片(４)に被さり釦ベース片(３)に取り付けられる釦カバー(５)を具え、釦ベース片(３)は釦カバー(５)の背面全面を覆い、釦カバー(５)を伝った電気的ノイズの侵入を遮断することを特徴とするキャビネット。
【請求項２】
釦カバー(５)は釦ベース片(３)からスイッチ(ＳＷ)に向かって延びたボス(32)に圧入され、該ボス(32)のスイッチ(ＳＷ)側の端部は閉じて外部から飛来した電気的ノイズの侵入を遮断する請求項１に記載のキャビネット。
【発明の詳細な説明】
【０００１】
【発明の属する技術分野】
本発明は、電源のＯＮ、ＯＦＦを切り換える際等に押される操作釦をフロントパネルに具えた電気機器等のキャビネットに関する。
【０００２】
【従来の技術】
図７は、従来の電気機器に用いられるキャビネット(６)内の操作釦(１)(１a)の斜視図である。操作釦(１)(１a)は、合成樹脂の射出成型により形成されて、使用者に押される押圧片(15)から取付片(16)(16)を上向きに突出した釦本体(14)を具えている。押圧片(15)はフロントパネル(２)の窓孔(20)に嵌まり、取付片(16)(16)がフロントパネル(２)の前壁裏面に融着によって取り付けられる。押圧片(15)を指にて押し込めば、取付片(16)(16)がフロントパネル(２)との融着部を中心に弾性変形する。
操作釦(１)(１a)には、市場からの要求に鑑みて一点鎖線で示すように、発光部(10)を設けたものと、設けていないものがある。以下の記載では、発光部(10)を設けた操作釦(１)をイルミ有りタイプ、発光部(10)を設けていない操作釦(１a)をイルミ無しタイプと呼び、イルミとはイルミネーションの略である。
特に、イルミ有りタイプの操作釦(１)にあっては、発光時の外観の見映えに鑑みて、釦本体(14)に光沢を放つ金属メッキ加工が施されている。
【０００３】
図８，図９は、図７のフロントパネル(２)をＡ−Ａ線を含む面にて破断した側面図であり、図８はイルミ有りタイプを、図９はイルミ無しタイプを夫々示す。図８のイルミ有りタイプのフロントパネル(２)にあっては、押圧片(15)は中央部が開口(17)し、該開口(17)の背後から発光部(10)を構成する光透過片(４)が嵌まる。該光透過片(４)は絶縁性樹脂を射出成型して形成され、縦板(40)から、開口(17)に緊密に嵌まる嵌合子(45)を前方に、突片(46)を奥向きに夫々突設させている。また、突片(46)よりも長く、回路基板(７)に当接可能なスイッチ保護突起(47)を奥向きに突設させ、スイッチ(ＳＷ)が押し込まれ過ぎることを防いでいる。
光透過片(４)の背後には、回路基板(７)が設けられ、該回路基板(７)上に、光透過片(４)に向けて発光するランプ(70)と、突片(46)に押圧操作されランプ(70)に繋がったスイッチ(ＳＷ)が設けられている。押圧片(15)を指で押すと、スイッチ(ＳＷ)がＯＮになり、ランプ(70)が点灯する。光透過片(４)を通過したランプ光により、使用者はスイッチ(ＳＷ)が押し込まれたことが判る。
また、図９のイルミ無しタイプのフロントパネル(２)にあっては、釦本体(14)はスイッチ(ＳＷ)を押し込む突片(18)を押圧片(15)から突設させている。釦本体(14)にはイルミ有りタイプのような金属メッキ加工は施されておらず、突片(18)によりスイッチ(ＳＷ)が押し込まれた旨は、フロントパネル(２)のディスプレイ(図示せず)に表示される。
このように、イルミ有りタイプとイルミ無しタイプとでは、操作釦(１)(１a)の形状が全く異なるから、夫々別々の金型にて作成していた。
【０００４】
操作釦(１)(１a)は、指で押されるが、この際に人体の電気的ノイズ、具体的には静電気が印加されることがある。前記の如く、イルミ有りタイプの操作釦(１)の釦本体(14)は金属メッキ加工されているから、この静電気が操作釦(１)を伝わってスイッチ(ＳＷ)に流れるとスイッチ(ＳＷ)を故障させる虞れがある。図１０は、イルミ有りタイプのフロントパネル(２)の釦本体(14)、光透過片(４)、回路基板(７)の分解斜視図である。釦本体(14)からは融着用突起(19)が光透過片(４)に向けて突出し、該融着用突起(19)が縦板(40)に開設された孔(48)に嵌まる。融着用突起(19)の先端部を溶かして釦本体(14)と光透過片(４)を固定する。
光透過片(４)の縦板(40)は、押圧片(15)の周辺部の背面全面を覆い、押圧片(15)から飛来する静電気を遮断している。
【０００５】
【発明が解決しようとする課題】
光透過片(４)の縦板(40)は押圧片(15)の周辺部全面を覆うから、光透過片(４)は大型になっており、光透過片(４)の単価、及び光透過片(４)を成型する金型のコスト上昇を招いていた。
また、操作釦(１)は、押圧片(15)から取付片(16)(16)を突出した釦本体(14)を具えており、この点でも操作釦(１)は大型になっている。前記の如く、イルミ有りタイプの操作釦(１)の釦本体(14)には金属メッキ加工が施されているが、このメッキ加工は、メッキ漕(図示せず)に釦本体(14)を浸して行う。然るに、釦本体(14)が大きいほど、メッキ漕に入る釦本体(14)の数が少なくなるから、メッキ加工時のコスト上昇に繋がる。更に、イルミ有りタイプとイルミ無しタイプとでは、操作釦(１)(１a)を夫々別々の金型にて作成していたから、金型作成のコスト上昇も招来していた。
本発明は、スイッチを静電気から保護しつつ、操作釦の金属メッキ加工箇所及び光透過片を小型化することを目的とする。
【０００６】
【課題を解決する為の手段】
合成樹脂の射出成型にて形成されるフロントパネル(２)は、弾性変形可能であり、開口(30)を設けてスイッチ(ＳＷ)を押し込む釦ベース片(３)を一体に具え、操作釦は、該釦ベース片(３)の開口(30)に嵌まり発光部(10)を構成する光透過片(４)と、導電性を有して光透過片(４)に被さり釦ベース片(３)に取り付けられる釦カバー(５)を具えている。
釦ベース片(３)は釦カバー(５)の背面全面を覆い、釦カバー(５)を伝った電気的ノイズの侵入を遮断する。
また、フロントパネル(２)を形成する固定型(８)と可動型(９)の何れか一方には、他方の型に嵌まる歯片(90)が設けられ、該一方の型には歯片(90)と周面が接する凹部(81)を具えて釦ベース片(３)に開口(30)を形成する第１の型と、歯片(90)の周面と隙間を設けて嵌まる凹部(82)を具えて釦ベース片(３)に突部(34)を形成する第２の型が選択的に突き合わさる。
【０００７】
【作用及び効果】
釦ベース片(３)は釦カバー(５)の背面全面を覆う。釦ベース片(３)は合成樹脂にて形成されているから、仮に使用者の人体が発する静電気が操作釦(１)を伝っても、釦ベース片(３)にて遮断され、スイッチ(ＳＷ)には達しない。これにより、スイッチ(ＳＷ)が故障する虞れを防止できるとともに、光透過片(４)は釦カバー(５)の背面全面を覆う必要はないから、光透過片(４)を小型化できる。
また、操作釦(１)は押し込み操作される際に、フロントパネル(２)に一体成型された釦ベース片(３)が弾性変形する。即ち、メッキ加工されて導電性を有する釦カバー(５)には、フロントパネル(２)にヒンジ接続される部分が設けられていないから、釦カバー(５)を小型化できる。これにより、メッキ加工時のコスト上昇を抑えることができる。
また、釦ベース片(３)に開口(30)を形成して発光部(10)を有するタイプの操作釦(１)を作製する際には、固定型(８)又は可動型(９)として第１の型を用いる。釦ベース片(３)に突部(34)を形成するタイプの操作釦(１a)を作製する際には、固定型(８)又は可動型(９)として第２の型を用いる。然るに、第１の型と第２の型は、同じ型に選択的に突き合わさる。これにより、固定型(８)又は可動型(９)の一方を共通にすることにより、金型作製時のコスト上昇を抑えることができる。
【０００８】
【発明の実施の形態】
以下、本発明の一例を図を用いて詳述する。
本例にあっては、操作釦(１)(１a)は電気機器の電源のＯＮ、ＯＦＦを切り換える釦であり、イルミ有りタイプとイルミ無しタイプとがある。
イルミ有りタイプ
図１は、イルミ有りタイプの操作釦(１)の分解斜視図である。キャビネット(６)のフロントパネル(２)に設けられた窓孔(20)内には、下端部が開口(30)した釦ベース片(３)が設けられ、該釦ベース片(３)は上端部が窓孔(20)の周縁にヒンジ接続されている。フロントパネル(２)と釦ベース片(３)は合成樹脂の射出成型により一体に設けられ、該釦ベース片(３)からスイッチ当て突起(31)と、スイッチ保護突起(36)と、前面に嵌入穴(33)を設けた複数本のボス(32)(32)(32)を後向きに突出している。ボス(32)(32)(32)の後端面は閉じている。
釦ベース片(３)の後方には、従来と同様にランプ(70)と電源のＯＮ、ＯＦＦ用のスイッチ(ＳＷ)を設けた回路基板(７)が配備される。
【０００９】
釦ベース片(３)の開口(30)には、発光部(10)を構成する光透過片(４)が嵌まる。該光透過片(４)は、ポリスチレン等の樹脂を射出成型して設けられ、乳白色を呈して光の透過を許す。光透過片(４)は、縦板(40)から前方に嵌め片(41)を、後方にランプ(70)に対向する被照射片(42)を突出している。
光透過片(４)には、全体に金属メッキ加工が施された釦カバー(５)が嵌まる。釦カバー(５)は、光透過片(４)の嵌め片(41)が嵌合する透孔(50)を開設しており、嵌入穴(33)に嵌まる突軸(51)(51)(51)を後ろ向きに突出している。操作釦(１)は、釦ベース片(３)と、光透過片(４)と、釦カバー(５)とから構成される。使用者は釦カバー(５)を押して、操作釦(１)を操作する。
【００１０】
図２は、図１のフロントパネル(２)をＣ−Ｃ線を含む面にて破断した断面側面図である。釦カバー(５)は、突軸(51)(51)(51)が釦ベース片(３)のボス(32)(32)(32)に緊密に嵌まって、釦ベース片(３)からの脱落が防止される。スイッチ保護突起(36)は回路基板(７)に当接可能で、スイッチ(ＳＷ)が押され過ぎることを防いでいる。
使用者が釦カバー(５)を押すと、釦ベース片(３)が上端部を中心に撓み変形し、スイッチ当て突起(31)がスイッチ(ＳＷ)を押す。装置の電源がＯＮになるとともに、ランプ(70)が点灯する。ランプ(70)の光は、光透過片(４)を通って、フロントパネル(２)の外部を照らし、これにより使用者は装置の電源がＯＮになったことが判る。ランプ(70)の光が光透過片(４)を通過することにより、眼にやさしい光となって使用者に達する。
【００１１】
釦ベース片(３)は釦カバー(５)の背面全面を覆う大きさに形成されている。釦ベース片(３)は合成樹脂にて形成されているから、仮に使用者の人体が発する静電気が操作釦(１)を伝っても、釦ベース片(３)にて遮断され、スイッチ(ＳＷ)には達しない。これにより、スイッチ(ＳＷ)が故障する虞れを防止できる。また、ボス(32)(32)(32)の後端面は閉じているから、該ボス(32)(32)(32)から静電気が伝わる虞れもない。
また、光透過片(４)は釦カバー(５)の背面全面を覆う必要はなく、従来のようにスイッチ保護突起(47)を設ける必要がないから、光透過片(４)を小型化できる。従って、光透過片(４)の単品コスト、及び光透過片(４)を作製する金型のコストを低減できる。
また、釦カバー(５)には従来のように、フロントパネル(２)とヒンジ接続される部分が設けられていないので、釦カバー(５)を小型化できる。前記の如く、釦カバー(５)のメッキ加工は、釦カバー(５)をメッキ漕に浸して施される。釦カバー(５)が小さいほど、一度にメッキ漕に浸すことができる釦カバー(５)の数が多くなり、メッキ加工コストの削減が図れる。本例にあっては、従来の操作釦に比してメッキ加工コストの削減が図れる。
更に、操作釦(１)の組み立ては、光透過片(４)を嵌めた釦カバー(５)を釦ベース片(３)に圧入すればよい。従来のような融着工程は不要であり、組み立てが簡単になる。
【００１２】
イルミ無しタイプ
図４は、イルミ無しタイプの操作釦(１a)の斜視図であり、図５は図４の断面側面図である。操作釦(１a)はフロントパネル(２)の窓孔(20)内に配備された釦ベース片(３)から突部(34)を前向きに、スイッチ当て突起(31)を後ろ向きに夫々突出しており、イルミ有りタイプの操作釦(１)のような金属メッキ加工は施されていない。突部(34)の内部は空洞であり、後記するように、成型用金型の可動型(９)をイルミ有りタイプの操作釦(１)と共通にしている。回路基板(７)には、スイッチ(ＳＷ)が設けられている。
尚、突部(34)の前面には、小突起(35)(35)(35)が設けられており、視覚に障害のある使用者は該小突起(35)(35)(35)を触ることにより、操作釦(１a)の機能を判別できる。この小突起(35)(35)(35)はイルミ有りタイプの操作釦(１)の光透過片(４)上にも設けられている。
【００１３】
金型の詳細
図３は、イルミ有りタイプのフロントパネル(２)を成型する金型の分解断面図であり、釦ベース片(３)を成型する箇所を示す。また、図６は、イルミ無しタイプのフロントパネル(２)を成型する金型の分解断面図であり、釦ベース片(３)を成型する箇所を示す。金型は周知の如く、可動型と固定型を突き合わせて構成されるが、本例にあってはイルミ有りタイプとイルミ無しタイプとで可動型を共通化する点にも特徴がある。図３及び図６にあっては、成型湯を流し込むゲート及びイジェクタピンの記載を省く。
図３に示すように、可動型(９)と固定型(８)を突き合わせて、両型(８)(９)の隙間に成型湯を流して、イルミ有りタイプのフロントパネル(２)の釦ベース片(３)を作製する。可動型(９)には歯片(90)と第１凹部(91)(91)が形成され、固定型(８)には歯片(90)が嵌まる第２凹部(81)と第１凹部(91)(91)に嵌まる小突片(80)(80)が設けられている。第１凹部(91)(91)と小突片(80)(80)の隙間に成型湯が流れ込んでボス(32)を形成し、離型後に小突片(80)(80)が嵌まっていた箇所は嵌入穴(33)を形成する。
歯片(90)の周面は、第２凹部(81)の周面に隙間なく嵌まり、歯片(90)の先端面は第２凹部(81)の奥面に接する。これにより、釦ベース片(３)の開口(30)を形成する。
【００１４】
図６は、イルミ無しタイプのフロントパネル(２)を成型する金型の分解断面図であり、釦ベース片(３)を成型する箇所を示す。可動型(９)の構成は、図３に示すイルミ有りタイプのフロントパネル(２)を成型する可動型(９)と同じである。固定型(８)には、歯片(90)が嵌まる第３凹部(82)が設けられ、歯片(90)の周面は、第３凹部(82)の周面と、歯片(90)の先端面は第３凹部(82)の奥面と、夫々隙間を有して嵌まる。これにより、成型時に釦ベース片(３)上に突部(34)を形成する。
本例にあっては、イルミ無しタイプのフロントパネル(２)とイルミ有りタイプのフロントパネル(２)とでは、成型用の金型の内、可動型(９)が共通である。これにより、金型製作のコスト上昇を抑えている。
【００１５】
上記例では、可動型(９)が共通であるとしたが、固定型(８)を共通にしてもよい。また、図４に一点鎖線で示すように、金型の離型当初に窓孔(20)と釦ベース片(３)を連結片(21)にて繋いでおき、後で該連結片(21)を切断することも考えられる。このように、連結片(21)にて窓孔(20)と釦ベース片(３)を繋げば、フロントパネル(２)の運搬時に釦ベース片(３)が変形する虞れを防止できる。この連結片(21)はイルミ有りタイプのフロントパネル(２)にて設けてもよい。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】イルミ有りタイプの操作釦の分解斜視図である。
【図２】図１のフロントパネルをＣ−Ｃ線を含む面にて破断した断面側面図である。
【図３】イルミ有りタイプのフロントパネルを成型する金型の分解断面図であり、釦ベース片を成型する箇所を示す。
【図４】イルミ無しタイプの操作釦の斜視図である。
【図５】図４の断面側面図である。
【図６】イルミ無しタイプのフロントパネルを成型する金型の分解断面図であり、釦ベース片を成型する箇所を示す。
【図７】キャビネット内の操作釦の斜視図である。
【図８】図７のフロントパネルをＡ−Ａ線を含む面にて破断した側面図であり、イルミ有りタイプを示す。
【図９】図７のフロントパネルをＡ−Ａ線を含む面にて破断した側面図であり、イルミ無しタイプを示す。
【図１０】イルミ有りタイプのフロントパネルの操作釦、光透過片、回路基板の分解斜視図である。
【符号の説明】
(１)  操作釦
(２)  フロントパネル
(３)  釦ベース片
(４)  光透過片
(５)  釦カバー
(８)  固定型
(９)  可動型
(10)  発光部
(30)  開口
(32)  ボス
(34)  突部
【図１】
0003768058.tif 000002
【図２】
0003768058.tif 000003
【図３】
0003768058.tif 000004
【図４】
0003768058.tif 000005
【図５】
0003768058.tif 000006
【図６】
0003768058.tif 000007
【図７】
0003768058.tif 000008
【図８】
0003768058.tif 000009
【図９】
0003768058.tif 000010
【図１０】
0003768058.tif 000011